(57)【要約】      （修正有）【課題】積み重ねるなどしても蓋部の天面部が凹みにくく、また、持ち上げた際に変形しにくい包装用容器を提供する。【解決手段】包装用容器は、仕切壁２１で区画された収容部２２を有し、上方に開口部を有する容器本体２と、開口部を被覆する蓋部３と、を備えた合成樹脂シートからなり、仕切壁２１に、開口部を蓋部３で被覆した状態において、上端部２４ａが蓋部３の天面部３ａの裏面に接する、上方に突出した支持部２４を設けた構成を有する。【選択図】図４
2014080225.tif 000002
【特許請求の範囲】
【請求項１】
仕切壁で区画された収容部を有し、上方に開口部を有する容器本体と、該開口部を被覆する蓋部と、を備えた合成樹脂シートからなる包装用容器であって、前記仕切壁に、前記開口部を前記蓋部で被覆した状態において、上端部が前記蓋部の天面部の裏面に接する、上方に突出した支持部を設けた構成を有する包装用容器。
【請求項２】
前記支持部を、円錐台状又は角錐台状に形成した請求項１に記載の包装用容器。
【請求項３】
前記支持部を、前記容器本体に１箇所以上５箇所以下配した請求項１又は２に記載の包装用容器。
【請求項４】
前記支持部を、前記容器本体の平面視中央付近に少なくとも設けた請求項１〜３のいずれかに記載の包装用容器。
【請求項５】
平面視矩形状に形成し、縦２５ｃｍ以上、横３０ｃｍ以上である請求項１〜４のいずれかに記載の包装用容器。
【発明の詳細な説明】
【技術分野】
【０００１】
本発明は、合成樹脂シートから形成され、主に食品などを包装する包装用容器に関する。
【背景技術】
【０００２】
合成樹脂製の包装用容器は、例えば、食品を収容するために用いられ、スーパー、デパートやコンビニエンスストアなどの小売店の店頭に陳列されている。
このような包装用容器は、例えば、ＰＥＴ、ポリスチレン、ポリプロピレンなどからなる合成樹脂シートを、真空成形や圧空成形など熱成形して製造することができる。包装用容器は、近年では、軽量化を図ることが行われており、合成樹脂シートのシート厚を薄くすることなどが行われている。
包装用容器は、薄肉化することにより、一般的に強度は弱くなる。そのため、食品を収容した弁当容器や食品パックなどとして用い、店頭などで積み重ねた場合、蓋が凹むなどの変形を生じてしまうおそれがあった。
【０００３】
そこで、蓋部の凹部の周縁に、蓋部内に突出する凸条からなる屈曲部を形成し、多段に積み重ねて陳列しても、蓋部を潰れにくくした包装用容器が開発されている（下記特許文献１参照）。
【０００４】
【特許文献１】特開２０１０−５２７８９号公報
【発明の概要】
【発明が解決しようとする課題】
【０００５】
上記のとおり、包装用容器の開発において、薄肉化を図りながら強度を維持或いは向上させることが行われている。
特に平面形状が大きい包装用容器は、蓋部の天面部が凹みやすく、また、容器端部を掴み、持ち上げると撓むなどの変形が生じやすいものであった。
【０００６】
そこで、本発明の目的は、積み重ねるなどしても蓋部の天面部が凹みにくく、また、持ち上げた際に変形しにくい包装用容器を提供することにある。
【課題を解決するための手段】
【０００７】
本発明の包装用容器は、仕切壁で区画された収容部を有し、上方に開口部を有する容器本体と、該開口部を被覆する蓋部と、を備えた合成樹脂シートからなる包装用容器であって、前記仕切壁に、前記開口部を前記蓋部で被覆した状態において、上端部が前記蓋部の天面部の裏面に接する、上方に突出した支持部を設けたことを特徴とする。
【０００８】
前記支持部は、円錐台状又は角錐台状に形成することができる。
【０００９】
前記支持部は、前記容器本体に１箇所以上５箇所以下設けることができ、また、前記容器本体の平面視中央付近に少なくとも設けることができる。
【００１０】
前記包装用容器は、平面視矩形状に形成し、縦２５ｃｍ以上、横３０ｃｍ以上の大きさに形成することができる。
【００１１】
このような構成にすることにより、上方に突出した支持部が蓋部の天面部を支えることになり、包装用容器を積み重ねたとしても蓋部の天面部が凹みにくくなる。また、仕切壁自体の強度も高まるため、包装用容器を持ち上げた際にも撓みにくく変形しにくいものになる。特に、平面形状の大きな包装用容器に有効的である。
【図面の簡単な説明】
【００１２】
【図１】本発明の一実施形態の包装用容器の斜視図である。
【図２】図１の包装用容器の容器本体の平面図である。
【図３】図１の包装用容器のＡ−Ａ線断面図である。
【図４】図１の包装用容器において容器本体の開口部を蓋部で被覆した状態を示したＡ−Ａ線断面図である。
【図５】容器本体に設ける支持部の一変形例を示した斜視図である。
【図６】容器本体に設ける支持部の他の変形例を示した斜視図である。
【発明を実施するための形態】
【００１３】
以下、本発明の包装用容器の一実施形態を、図面に基づいて説明する。
【００１４】
本発明の一実施形態の包装用容器１は、図１〜４に示すように、仕切壁２１で区画された収容部２２を有し、上方に開口部２３を有する容器本体２と、開口部２３を被覆する蓋部３と、を備えた合成樹脂シートからなる包装用容器であって、仕切壁２１に、開口部２３を蓋部３で被覆した状態において、上端部２４ａが蓋部３の天面部３ａの裏面に接する、上方に突出した支持部２４を設けた構成を有するものである。
【００１５】
包装用容器１は、食品などを包装することができる容器であり、お弁当の容器や惣菜を収容する容器などとして用いることができる。例えば、シート厚２５μｍ〜６０μｍ、好ましくは３０μｍ〜５０μｍの合成樹脂シートを熱成形して製造することができる。より詳しくは、ポリスチレン系樹脂シート、ポリエチレン系樹脂シート、ポリプロピレン系樹脂シート、ポリエチレンテレフタレート系樹脂シートなどの熱可塑性樹脂シートを、真空成形、圧空成形、真空圧空成形、熱板成形などの熱成形をして製造することができる。
包装用容器１は、例えば、平面視矩形状に形成し、外形が縦１０ｃｍ〜３５ｃｍ、横１５ｃｍ〜４８ｃｍ、好ましくは、縦２５ｃｍ以上、横３０ｃｍ以上に形成することができる。
容器本体２は、黒色や白色などの有色であることが好ましく、蓋部３は、透明乃至半透明であることが好ましい。
【００１６】
容器本体２は、仕切壁２１で区画された収容部２２を有し、上方に開口部２３を有するように形成してある。本実施形態では、７つの収容部２２が形成してあり、容器本体２の外縁部には、外方に横向きに張り出したフランジ部２ｂが周方向に形成してある。
【００１７】
仕切壁２１は、容器本体２の底面部２ａを断面台形状などに隆起させて形成することができ、容器本体２内部を縦横或いは斜め等に区切り、平面視矩形状や平面視長円状の収容部２２を形成することができる。各収容部２２の周壁部２２ａは、底面部２３から上方に向け外側に傾斜、つまり収容部２２の開口部が拡がるように傾斜させて形成することができる。
【００１８】
仕切壁２１の上端面２１ａには、上方に突出した支持部２４を適宜箇所に形成することができる。本実施形態では容器本体２の４箇所に支持部２４を設けてある。支持部２４の上端部２４ａは、容器本体２の開口部２３に蓋部３を被覆した状態で、蓋部３の天面部３ａの裏面に接面するように形成してある。この際、上端部２４ａと天面部３ａの裏面とがぴったりと隙間なく接するように形成することが好ましいが、蓋部３と若干の隙間（例えば、２ｍｍ以下の隙間）を有するように形成することや蓋部３を若干圧するように形成することもできる。
【００１９】
支持部２４は、本実施形態では、円錐台状や四角錐台状に形成してあるが、これに限定するものではなく、例えば、図５に示すように、仕切壁２５ａの上端面２５ｂを長円台状に突出させ、さらにその上に円錐台状に突出させた二段状など多段状の支持部２５に形成することもできる。また、図６に示すように、側面を収容部２６ａの周壁部２６ｂと面一になるように突出させた支持部２６にすることもできる。また、支持部２４を、円錐状や四角錐状などに形成してもよく、支持部２４の先端部２４ａを先細り状に形成し、天面部３ａの裏面に点状に接するようにしてもよい。
支持部２４は、特に限定するものではないが、仕切壁２１の上端面２１ａから高さ５ｍｍ〜３０ｍｍ、好ましくは１０ｍｍ〜２０ｍｍに形成することができる。本実施形態の如くフランジ部２ｂと同じ高さになるように形成するのが好ましい。
【００２０】
支持部２４は、容器本体２において仕切壁２１の上端面２１ａのいずれの箇所に設けることができるが、容器本体２の平面視中央付近に少なくとも設けるのが好ましい。また、容器本体２に、１箇所以上５箇所以下設けるのが好ましい。
【００２１】
支持部２４は、合成樹脂シートを熱成形して、仕切壁２１と一体に形成することができるが、これに限定するものではなく、仕切壁２１の上端面２１ａに別体として形成したピース材を貼付などして形成することもできる。
【００２２】
蓋部３は、容器本体２の開口部２３を被覆するように形成することができ、本実施形態では、略矩形状の天面部３ａの周囲から下方に向け垂下した周壁部３ｂを有するように形成してある。天面部３ａの外縁寄りには、外縁部に沿い上方に断面矩形状に膨出した突起部３ｃが形成してある。
周壁部３ｂの下端には、内側に向け突出した嵌合部３１を形成することができ、容器本体２のフランジ部２ｃの外周縁に外側から嵌合、いわゆる外嵌合できるように形成し、開口部２３を蓋部３で被覆することができる。
【００２３】
本実施形態では、容器本体２と蓋部３とが外嵌合できるように形成してあるが、これに限定するものではなく、例えば、いわゆる内嵌合などにすることもでき、また、嵌合せずに容器本体２のフランジ部２ｃに蓋部３の天面部３ａを載せ置く構成とすることもできる。
【００２４】
包装用容器１は、容器本体２の開口部２３を蓋部３で被覆した状態において、支持部２４が天面部３ａの裏面に接しているため、天面部３ａを支えることができ、包装用容器１を積み重ねたとしても、天面部３ａが凹みにくくなる。特に、包装用容器１の平面形状が大きくなると、天面部３ａは凹みやすくなるので支持部２４を設けておくと天面部３ａの凹みを防ぐことができる。
また、仕切壁２１に支持部２４を形成することにより、容器本体２の剛性も高まり、包装用容器１を持ち上げた際に変形しにくくなる。
【００２５】
上記実施形態の構成態様は、本発明を限定するものとして挙げたものではなく、技術目的を共通にするかぎり変更は可能であり、本発明はそのような変更を含むものである。
【符号の説明】
【００２６】
１包装用容器
２容器本体
２ａ底面部
２ｂフランジ部
２１仕切壁
２１ａ上面部
２２収容部
２２ａ周壁部
２３開口部
２４支持部
２４ａ上端部
３蓋部
３ａ天面部
３ｂ周壁部
３１嵌合部
【図１】
2014080225.tif 000003
【図２】
2014080225.tif 000004
【図３】
2014080225.tif 000005
【図４】
2014080225.tif 000006
【図５】
2014080225.tif 000007
【図６】
2014080225.tif 000008